(57)【特許請求の範囲】
【請求項１】
光走査装置の筺体に取り付けられる光源装置であって、
レーザ光を出射する半導体レーザチップと、
前記半導体レーザチップが半田付けされた回路基板と、
前記回路基板を保持する保持部材と、
円環形状の防塵用の弾性部材とを有し、
前記弾性部材の円環形状部分が前記半導体レーザチップを囲むように前記弾性部材は前記回路基板の前記半導体レーザチップが実装された実装面に当接し、かつ前記弾性部材は前記実装面に対して垂直な方向において当該弾性部材の両側から前記保持部材と前記回路基板とによって圧接され、前記半導体レーザチップは、前記保持部材、前記回路基板および前記弾性部材に囲まれることによって防塵されていることを特徴とする光源装置。
【請求項２】
前記弾性部材の、前記円環形状の中心軸を含む任意の断面の形状が、前記中心軸に対して略線対称であることを特徴とする請求項１に記載の光源装置。
【請求項３】
前記弾性部材の、前記中心軸を含む断面の形状が、前記中心軸を中心として回転させた全周において連続して略均一であることを特徴とする請求項２に記載の光源装置。
【請求項４】
前記弾性部材の、前記円環形状の中心軸に垂直な方向における前記弾性部材の位置を決めるための位置決め部が、前記保持部材に設けられたことを特徴とする請求項１乃至３のいずれか１項に記載の光源装置。
【請求項５】
前記弾性部材の、前記円環形状の中心軸を中心とする前記弾性部材の外側において、前記回路基板と前記保持部材とが弾性樹脂部材を介して締結されることを特徴とする請求項１乃至４のいずれか１項に記載の光源装置。
【発明の詳細な説明】
【技術分野】
【０００１】
本発明は、複写機やプリンタ等の画像形成装置に搭載される光源装置に関する。
【背景技術】
【０００２】
複写機やレーザビームプリンタ等の画像形成装置に用いられている光走査装置などの、感光ドラムを露光する露光装置においては一般に、感光ドラム上にレーザ光を照射し、静電潜像を形成する構成が採用される。具体的には、光走査装置において、光源から発せられる画像信号に応じて光偏調されたレーザ光を、回転多面鏡等の光偏向器によって偏向走査する。そして、レーザ光を所定の方向に反射させる折り返しミラーを介しながら、ｆθレンズ等のｆθ特性を有する結像光学素子によって感光ドラム上にスポット状に結像させる。
【０００３】
光走査装置の光源装置に、面発光型のチップ形状のパッケージが採用される場合、このレーザパッケージを精度よく位置決めして保持する取り付け構成が必要である。レーザパッケージを保持する構成として、例えばレーザパッケージを実装する基板と筐体との間に弾性を有する連結部材を配設するものが知られている（特許文献１）。
【０００４】
この構成では、レーザ光の光束の中心軸の方向における連結部材の撓みによる復元力によってレーザパッケージを筐体側の基準面に圧接させて保持する。ここでいう中心軸の方向とは、レーザ光の光束の中心軸であってレーザ光を平行光に変換した際のレーザ光の進行方向に平行な方向とする。取り付けの際に、連結部材が変形することで、基板が変形することを防ぎ、レーザパッケージの垂直度を高精度に保証することができる。
【０００５】
このような光走査装置においては、内部に埃や塵が入り込むと、ミラーやレンズ、光偏光器、光源装置等の光路上の部品に付着して光線が一部さえぎられ、画像の一部が欠落する等の問題が生じる。このような問題に対して、接着材、弾性部材、シール材等を用いて、外部に対する光走査装置の隙間を埋め、塵埃が侵入しないようにする対策が望まれる。
【０００６】
また、特許文献１のように、光源が光走査装置の筐体（あるいは保持）の外側に位置する場合は、光源に塵埃が付着することによる画質の低下を抑制するために、光源に対する防塵のための構成が重要となってくる。
【０００７】
そこで例えば、基板が締結される保持部材と基板との間に防塵用の弾性部材を介在させてレーザパッケージの周囲の隙間を塞ぐという構成が考えられる。
【先行技術文献】
【特許文献】
【０００８】
【特許文献１】特開２００９−１８７０２８号公報
【発明の概要】
【発明が解決しようとする課題】
【０００９】
しかしながら、仮に、特許文献１の構成に防塵用の弾性部材を採用した場合、基板と保持部材との間で防塵用の弾性部材が押しつぶされることにより生じる反発力が、パッケージを実装した基板に対して働く。そしてこの押しつぶし力がパッケージ内部の発光点に対して不均一にかかると、発光点の位置ずれが生じ、照射位置ずれやスポット変形により画質が低下するおそれがある。
【００１０】
本発明は上記従来技術の問題を解決するためになされたものであり、その目的は、発光素子の防塵を図ると共に発光点の位置ずれを小さくすることができる光源装置を提供することにある。
【課題を解決するための手段】
【００１１】
上記目的を達成するために本発明は、光走査装置の筺体に取り付けられる光源装置であって、レーザ光を出射する半導体レーザチップと、前記半導体レーザチップが半田付けされた回路基板と、前記回路基板を保持する保持部材と、円環形状の防塵用の弾性部材とを有し、前記弾性部材の円環形状部分が前記半導体レーザチップを囲むように前記弾性部材は前記回路基板の前記半導体レーザチップが実装された実装面に当接し、かつ前記弾性部材は前記実装面に対して垂直な方向において当該弾性部材の両側から前記保持部材と前記回路基板とによって圧接され、前記半導体レーザチップは、前記保持部材、前記回路基板および前記弾性部材に囲まれることによって防塵されていることを特徴とする。
【発明の効果】
【００１２】
本発明によれば、発光素子の防塵を図ると共に発光点の位置ずれを小さくすることができる。
【図面の簡単な説明】
【００１３】
【図１】本発明の第１の実施の形態に係る露光装置が適用される画像形成装置の概略の構成図である。
【図２】露光装置の一例である光走査装置の斜視図である。
【図３】光源装置部の分解斜視図（図(ａ)）、組み付け状態の光源の光束の中心軸の方向に沿う断面図（図(ｂ)）である。
【図４】本発明の第２の実施の形態に係る露光装置の一例である光走査装置の光源装置部の分解斜視図（図(ａ)）、組み付け状態の光源装置部の光束の中心軸の方向に沿う断面図（図(ｂ)）である。
【図５】弾性部材の変形例（図(ａ)）、保持部材の変形例（図(ｂ)）を示す図である。
【発明を実施するための形態】
【００１４】
以下、本発明の実施の形態を図面を参照して説明する。
【００１５】
（第１の実施の形態）
図１は、本発明の第１の実施の形態に係る露光装置が適用される画像形成装置の概略の構成図である。画像形成装置としては、複写機やプリンタ等、種類は限定されないが、本実施の形態ではフルカラーデジタル複写機を例示する。
【００１６】
画像形成装置は画像読取装置８を有する。画像読取装置８は、圧板８６によって圧接された原稿に光を当て、折り返しミラー８３−１、８３−２、８３−３を介して読取レンズ８２によってラインセンサ８１上に集光し、ラインセンサ８１によって画像信号を読み取る。
【００１７】
画像形成装置の画像形成部１０は、イエロー、マゼンダ、シアン、ブラックの４色に分解した画像信号毎に、画像形成ステーションＰ（Ｐａ、Ｐｂ、Ｐｃ、Ｐｄ）においてトナー画像を形成する。画像形成ステーションＰは、露光装置の一例である光走査装置１（１ａ、１ｂ、１ｃ、１ｄ）、像担持体である感光ドラム２（２ａ、２ｂ、２ｃ、２ｄ）、帯電装置３（３ａ、３ｂ、３ｃ、３ｄ）を有する。画像形成ステーションＰはさらに、現像装置４（４ａ、４ｂ、４ｃ、４ｄ）、クリーニング装置５（５ａ、５ｂ、５ｃ、５ｄ）を有する。
【００１８】
感光ドラム２上に各色毎に形成されたトナー画像は、転写装置６（６ａ、６ｂ、６ｃ、６ｄ）によって中間転写ベルト６１上に転写される。各色毎のトナー像は、中間転写ベルト６１上に順次重ね合わせて転写されるため、中間転写ベルト６１上では、４色重ね合ったトナー像が形成される。中間転写ベルト６１は、駆動ローラ６２と従動ローラ６３によって張架されており、クリーニング装置６４によって残トナーを清掃される。
【００１９】
中間転写ベルト６１上のトナー像は、転写ローラ６５、６６によってシート材Ｓ上に転写される。シート材Ｓは、手差し給紙カセット７０または給紙カセット７８、７９内から、シート材Ｓの位置と中間転写ベルト６１上のトナー像の位置とが合うよう、タイミングを合わせて搬送される。トナー像の転写されたシート材Ｓは、定着ローラ７４によって加熱定着され、フルカラー画像が形成されたシート材Ｓが排紙トレー７７上に排紙される。
【００２０】
次に、チップ形状のパッケージに光源が収納されたレーザ光源装置を使用した光走査装置１について図２を用いて説明する。
【００２１】
図２は、露光装置の一例である光走査装置１の斜視図である。光走査装置１は、レーザ光を偏向走査する光走査部１６、レンズ１２、１３、１８、２５や折り返しミラー１７等の光学部品が、筐体である光学ハウジング１１に収納された構造をとる。レーザ光を出射する光源装置部２０が、光学ハウジング１１の外側に配設され、光源装置部２０の鏡筒２８が光学ハウジング１１の内側に臨むよう配置される。
【００２２】
この光走査装置１では、光源装置部２０から出射されるレーザ光により感光ドラム２を走査露光する。光源装置部２０は回路基板である電気基板２２によって駆動され、光源装置部２０から出射されたレーザ光は、コリメータレンズ２５を通って平行なレーザ光となる。平行なレーザ光は、シリンドリカルレンズ１８を通って、感光ドラム２の移動方向にのみ集光され、光走査部１６において回転駆動モータ１６−２によって一定の速度で回転制御される回転多面鏡１６−１によって偏向される。偏向されたレーザ光は、折り返しミラー１７で反射し、ｆθ特性を持つトーリックレンズ１２、１３によって感光ドラム２上に所定のスポット径で結像される。
【００２３】
図３（ａ）は、光源装置部２０の分解斜視図である。
【００２４】
光源装置部２０は、電気基板２２、レーザ光を出射する発光素子を備える発光部であるパッケージ２１、防塵用の弾性部材２６、連結部材２４及び保持部材３０を有する。チップ形状のパッケージ２１は、発光素子として面発光型の半導体レーザチップを保持するレーザパッケージであり、複数の発光点からなる不図示の光源が収納されている。パッケージ２１からはレーザ光がＸ方向に出射される。Ｘ方向はレーザ光の光束の中心軸であってレーザ光を平行光に変換した際のレーザ光の進行方向に平行な方向であり、以下では、光束の中心軸Ｘと呼ぶ。発光点が複数個あるので、光束の中心軸Ｘは複数の発光点の重心位置にある発光点から出射された光を表すとする。パッケージ２１は電気基板２２に実装され、光源は電気基板２２によって駆動される。
【００２５】
図３（ｂ）は、組み付け状態の光源装置部２０の光束の中心軸Ｘの方向に沿う断面図である。
【００２６】
図３(ａ)、(ｂ)に示すように、保持部材３０は、板状部３１と、板状部３１から電気基板２２の側に突設された突部３２とを有する。突部３２及び板状部３１にかけて、レーザ光が通るための貫通穴が光束の中心軸Ｘに沿って形成されている。突部３２の先端面は電気基板２２に対向する第２の基準面３３となっている。板状部３１の２箇所にはネジ穴３４が形成されている。保持部材３０からは、電気基板２２の反対側に鏡筒２８が設けられる。光学ハウジング１１には、鏡筒２８が嵌合される嵌合穴１１ａが形成されている。
【００２７】
連結部材２４は、弾性樹脂部材で構成され、光束の中心軸Ｘ方向から見て環状の四角形に形成される。連結部材２４の内側には大穴３７が形成される。連結部材２４にはまた、電気基板２２の側に突起部３５が２箇所に形成され、各突起部３５の位置にネジ穴３４に対応する締結用穴３６が形成されている。
【００２８】
弾性部材２６は、穴２６ａを有する中空の略円筒形状、すなわち、光束の中心軸Ｘ方向から見て環状の円形形状に形成される。光束の中心軸Ｘ方向から見て、穴２６ａは、パッケージ２１を囲める程度に十分に大きい。弾性部材２６の、電気基板２２に対向する面と板状部３１に対向する面は、いずれも光束の中心軸Ｘに垂直な平面となっている。
【００２９】
電気基板２２には、締結用穴３６に対応する締結用穴２９が形成される。パッケージ２１は、電気基板２２の、保持部材３０に対向する側の面に配設される。保持部材３０に対向するパッケージ２１の面が第１の基準面２１ａ（図３(ｂ)）である。光源装置部２０の組み付け時には第１の基準面２１ａと保持部材３０の突部３２の第２の基準面３３とが対向当接する。
【００３０】
光源装置部２０は、次のようにして光学ハウジング１１に組み付けられる。
【００３１】
光束の中心軸Ｘ（厳密には組み付け後に光束の中心軸Ｘとなるべき軸線）を中心として、保持部材３０の突部３２の外側に弾性部材２６を配置し、さらに弾性部材２６の外側に連結部材２４を配置する。すなわち、突部３２が弾性部材２６の穴２６ａに囲まれ、弾性部材２６が連結部材２４の大穴３７に囲まれるようにする。その際、何らかの方法で弾性部材２６の穴２６ａの中心と光束の中心軸Ｘとを一致させる。また、連結部材２４の締結用穴３６と板状部３１のネジ穴３４との位置を合わせる。
【００３２】
そして、連結部材２４及び弾性部材２６を、パッケージ２１を実装した電気基板２２と保持部材３０とで光束の中心軸Ｘ方向に挟み込むように電気基板２２を配置する。その際、パッケージ２１の第１の基準面２１ａと保持部材３０の第２の基準面３３とを対向させると共に、電気基板２２の締結用穴２９の位置を締結用穴３６に合わせる。
【００３３】
次に、ビス２７（２７Ａ、２７Ｂ）を、締結用穴２９及び締結用穴３６を介してネジ穴３４に螺合することで、連結部材２４を介して電気基板２２を保持部材３０に締結固定する。このようにして光源装置部２０が一体的に組み付けられる。板状部３１と電気基板２２とはほぼ平行になる。その後、鏡筒２８を光学ハウジング１１の嵌合穴１１ａに挿通嵌合し、光学ハウジング１１と板状部３１とを不図示の箇所で締結することで、光源装置部２０が光学ハウジング１１に固定される。
【００３４】
ここで、光源装置部２０の組み付け時において、ビス２７を螺合することで、連結部材２４は、板状部３１と電気基板２２とに挟まれ光束の中心軸Ｘ方向に圧縮される。主として連結部材２４の圧縮により生じる復元力によって、パッケージ２１の第１の基準面２１ａが第２の基準面３３に押し付けられる。電気基板２２を撓ませてパッケージ２１を押圧するのではなく、連結部材２４を撓ませることにより、電気基板２２に生じる撓み力を軽減できる。これにより、電気基板２２における電気素子や半田への負荷を軽減できる。また、電気基板２２の変形が抑制されることで、パッケージ２１の垂直度を高精度に保証することにもつながる。
【００３５】
光学ハウジング１１に組み付けられた光源装置部２０は、鏡筒２８を除けば光学ハウジング１１の外側に位置する。そのため、弾性部材２６を設けず連結部材２４を設けるだけでは、パッケージ２１における光源（発光素子）の周囲に外部から塵埃が入り込む隙間が存在することになる。連結部材２４は光源の周囲を覆っているが、連結部材２４は樹脂材質よりなるため、形状を工夫したとしても、電気基板２２や保持部材３０との隙間を完全に埋めること困難であり、光源装置部２０を防塵する構成が必要となる。
【００３６】
そこで、本実施の形態では、電気基板２２と保持部材３０との間の隙間に、防塵用の弾性部材２６を押しつぶして配することで、光源周辺に塵埃が侵入する隙間を埋めるようにしている。
【００３７】
まず、弾性部材２６は、光源装置部２０に組み付けられていない自由状態においては、光束の中心軸Ｘ方向となる方向の厚みＬ２（図３(ａ)）が、組み付け後の電気基板２２と保持部材３０の板状部３１との間隔Ｌ１（図３(ｂ)）よりも大きい。この厚みＬ２の弾性部材２６を電気基板２２と板状部３１との間隔Ｌ１にまで押しつぶすことで、弾性部材２６が電気基板２２と板状部３１とに対して圧接状態となる。従って、電気基板２２と弾性部材２６との間、及び、板状部３１と弾性部材２６との間が封止され、密閉性が高まる。
【００３８】
組み付け状態においては、光束の中心軸Ｘ方向から見て、弾性部材２６はパッケージ２１を囲むように位置する。従って、パッケージ２１は電気基板２２と板状部３１と穴２６ａとで形成される空間内に閉じ込められ、弾性部材２６によって外部に対して遮蔽されることになる。
【００３９】
ところで、連結部材２４とは別に、弾性部材２６を押しつぶすことによる反発力も、電気基板２２と保持部材３０の板状部３１に対して働く。弾性部材２６が均質な素材とすれば、弾性部材２６の押しつぶし力の大きさは、弾性部材２６の押しつぶし量と、電気基板２２及び板状部３１との接触面積に依存する。
【００４０】
電気基板２２に対して働く弾性部材２６の押しつぶし力は、電気基板２２の変形や位置ズレにも影響を及ぼす。電気基板２２上には光源を収納したパッケージ２１が実装されているため、押しつぶし力の作用の仕方によっては光源が位置ズレし、スポット径の変形や照射位置ズレが生じるおそれがある。そのため、弾性部材２６による押しつぶし力は、光源を位置ズレさせないよう、光源に対して均一に働くようにする必要がある。弾性部材２６の押しつぶし量、並びに弾性部材２６と電気基板２２及び板状部３１との接触面積が、それぞれ光束の中心軸Ｘを中心として略均一であれば、押しつぶし力による光源の位置ズレが小さくなる。弾性部材２６は、そのような要請を実現する形状となっている。
【００４１】
すなわち、図３(ｂ)に示すように、弾性部材２６は、光束の中心軸Ｘを含む任意の断面の形状が光束の中心軸Ｘに対して略線対称となっている。図３(ｂ)では、２つのネジ穴３４の中心を通る切断面が示されるが、弾性部材２６は円形の環状であるので、光束の中心軸Ｘを中心としたいずれの位置での断面形状も同形状である。従って、光束の中心軸Ｘを中心として回転させた全周において連続して略均一となる形状となっている。
【００４２】
このような弾性部材２６においては、押しつぶし量及び電気基板２２・板状部３１との接触面積が、中心軸Ｘを中心として略一定であるため、電気基板２２に作用する弾性部材２６の押しつぶし力が光源を中心として略均一となる。従って、押しつぶし力による光源の位置ズレを少なくすることができる。
【００４３】
本実施の形態によれば、パッケージ２１を囲むように配置される環状形状の防塵用の弾性部材２６が、電気基板２２と板状部３１との間に挟まれ圧接状態となってパッケージ２１（ひいてはそれが備える発光素子）を封止するので、光源の防塵を図ることができる。また、弾性部材２６の光束の中心軸Ｘを含む任意の断面の形状が光束の中心軸Ｘに対して略線対称であるので、パッケージ２１における発光点の位置ずれを小さくすることができる。
【００４４】
また、電気基板２２と板状部３１とが、弾性樹脂部材である連結部材２４を介して締結されるので、電気基板２２における電気素子や半田への負荷を軽減すると共に、パッケージ２１の垂直度の精度を高めることができる。
【００４５】
ところで、弾性部材２６は、押しつぶされた状態で電気基板２２に接触しているため、電気基板２２と弾性部材２６との間の摺擦により静電気が発生する。電気基板２２は光源を含むパッケージ２１を実装しているため、静電気による電気ノイズでレーザ光量が変化してしまうおそれがある。
【００４６】
そこで、弾性部材２６の材質としては、シールを確保できる弾性材であることのほか、導電性が高いもの、乃至、低抵抗の材質を採用するのが望ましい。それと共に、弾性部材２６を電気的に接地された部材と接触させる。弾性部材２６は、導電性・低抵抗材質であるため、静電気が発生してもそれを逃がすことができる。また、電気的に接地された部材と接触しているため、静電気をアースに逃がし、電気基板２２に電気ノイズとして影響しにくいようにすることができる。
【００４７】
このような導電性・低抵抗の材質として、弾性部材２６にガスケットを用いることもできる。ガスケットは、気密性を持たせるための固定用シール材であり、導電性を持つ封止用品の一般部材として入手可能である。
【００４８】
（第２の実施の形態）
図４（ａ）は、本発明の第２の実施の形態に係る露光装置の光源装置部の分解斜視図である。図４（ｂ）は、組み付け状態の光源装置部の光束の中心軸Ｘの方向に沿う断面図である。
【００４９】
本発明の第２の実施の形態における光源装置部２０は、第１の実施の形態の光源装置部２０に対して、弾性部材２６の形状と、弾性部材２６の位置を規定する位置決め部を保持部材３０に設けた点が主に異なる。光源装置部２０において、電気基板２２、パッケージ２１、連結部材２４については、弾性部材２６の形状や寸法の相違に基づく違いはあるが、基本的構成は第１の実施の形態のものと同様である。
【００５０】
図４(ａ)、(ｂ)に示すように、第２の実施の形態における弾性部材２６は、ドーナツ形状である。この弾性部材２６も、光束の中心軸Ｘを含む任意の断面の形状が光束の中心軸Ｘに対して略線対称で、光束の中心軸Ｘを中心として回転させた全周において連続して略均一でもある。
【００５１】
一方、保持部材３０の板状部３１には、位置決め部として、弾性部材２６の座面となる円形で環状の凹溝３１ａが形成されている。凹溝３１ａに弾性部材２６が嵌合されることで、光束の中心軸Ｘに垂直な方向における保持部材３０に対する弾性部材２６の位置が規制される。これにより、両面テープや接着材等の固定材を用いることなく、弾性部材２６の中心が光束の中心軸Ｘ中心に正確に一致するよう弾性部材２６の位置決めを容易に行うことができる。組み付け状態においては、光束の中心軸Ｘ方向から見て、弾性部材２６はパッケージ２１を囲むように位置する。
【００５２】
電気基板２２と板状部３１との間隔Ｌ１、自由状態における弾性部材２６の光束の中心軸Ｘ方向の厚みＬ２の関係については、第１の実施の形態と同様である。ただし、間隔Ｌ１には、電気基板２２と凹溝３１ａの底部との距離が相当する。
【００５３】
本実施の形態によれば、光源の防塵を図ると共に発光点の位置ずれを小さくすることに関し、第１の実施の形態と同様の効果を奏することができる。
【００５４】
また、弾性部材２６の位置決め部（凹溝３１ａ）を設けたので、光束の中心軸Ｘに対する弾性部材２６の対称性を確保するのが容易となり、発光点の位置ずれを小さくする効果をより確実に発揮することができる。
【００５５】
なお、弾性部材２６として、一般部品であるＯリングも採用可能である。Ｏリングは封止用の機械部品であり、隙間を密閉する用途に適した部材である。また、多種多様な種類・形状が存在し、安価に入手可能である。
【００５６】
なお、上記各実施の形態において、弾性部材２６に採用可能な形状は、光束の中心軸Ｘを含む任意の断面の形状が光束の中心軸Ｘに対して略線対称であればよい。図５(ａ)に弾性部材２６の変形例を示す。例えば、図５(ａ)に示すように、光束の中心軸Ｘ方向から見て四角形の環状形状であってもよい。この例の場合、弾性部材２６の光束の中心軸Ｘを含む断面形状は、切断位置によって変化するが、対称性は維持される。従って、光源に働くモーメントに偏りがなく、発光点の位置ずれが大きくなることがない。
【００５７】
また、弾性部材２６は、断面の形状が光束の中心軸Ｘに対して略線対称であれば、光束の中心軸Ｘ方向の端面が必ずしも平坦でなくてもよい。
【００５８】
ところで、第２の実施の形態では、弾性部材２６の位置決め部として凹溝３１ａを例示したが、これに限るものではない。例えば、第１の実施の形態における保持部材３０の変形例を図５(ｂ)に示す。保持部材３０の板状部３１に、弾性部材２６の穴２６ａに嵌合的な位置決め用の係合部３８を設ける。係合部３８は、図５(ｂ)に例示するように、突部３２の根本に一体に形成されるが、突部３２は別に突設してもよい。係合部３８はまた、光束の中心軸Ｘを中心として連続した環状であるが、間欠的に形成したものであってもよい。弾性部材２６の穴２６ａが係合部３８に嵌合されて、弾性部材２６の光束の中心軸Ｘに対する位置が容易に規定される。
【００５９】
なお、図５(ｂ)の例とは逆に、弾性部材２６の外側を囲むような位置決め用の係合部を板状部３１に設けてもよい。あるいは、弾性部材２６のうち板状部３１に対向する面に、複数の凹部を光束の中心軸Ｘに対して対称な位置に設け、これらの凹部に嵌合するピンを板状部３１に突設してもよい。
【００６０】
なお、上記各実施の形態において、電気基板２２に生じる撓み力を軽減する観点からは、連結部材２４の構成は例示したものに限定されない。例えば、特許文献１に記載されている弾性連結部材１７４のように、電気基板２２と板状部３１とに対して別々の位置で締結される弾性部材であってもよい。
【００６１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００６２】
１  光走査装置
１１  光学ハウジング
２０  光源装置部
２１  パッケージ
２１ａ  第１の基準面
２２  電気基板
２６  弾性部材
３０  保持部材
３１ａ  凹溝
３３  第２の基準面
【図１】
0005971961.tif 000002
【図２】
0005971961.tif 000003
【図３】
0005971961.tif 000004
【図４】
0005971961.tif 000005
【図５】
0005971961.tif 000006